(57)【要約】      （修正有）【課題】カップ内の液体が溢れることを解消する創造的な撹拌カップを提供する。【解決手段】カップ主体部９０１を含み、回転ヘッドを上に回し、第二傘歯車を連動させて上に移動させ、第一傘歯車が第二傘歯車との噛み合いを解除し、第一ばねの作用の下で伸縮ロッド１４を推し動かして伸び広めて紐を連動させて下に伸びさせ、紐が糸巻き筒を引き動かして回転させ、回しロッドを回して回転ブロックを回転連動させ、伸縮ロッド１４とばね状軟質リング１５とを回転連動させ、撹拌しない時に伸縮ロッド１４を引っ込めることができ、蓋１０に占拠された空間はあまり多くなく、ゴム環状ブロックがカップ１１と隙間なく貼着されることができ、撹拌する時に液体が跳ね散ることを防止し、ばね状軟質リング１５は伸び広がった後に撹拌能力が強く、撹拌することが均等で十分である。【選択図】図１
2020151436.tif 000002
【特許請求の範囲】
【請求項１】
カップ主体部を含み、前記カップ主体部はカップを含み、前記カップの中には上方に開口したカップチャンバが設置されており、前記カップチャンバの開口のところには蓋が密封して装着されており、前記蓋の底部端面にはゴム環状ブロックが設置されており、前記蓋の中には回転ブロックが設置されており、前記回転ブロックの底部端面には伸縮ロッドが設置されており、前記伸縮ロッドの外側端面にはばね状軟質リングが設置されており、前記ばね状軟質リングが前記蓋の底部端面と接続されており、前記回転ブロックの中には前記伸縮ロッドの伸縮を制御し、また前記ばね状軟質リングを連動させて撹拌させる制御部品が設置されており、前記制御部品は前記回転ブロックに固定的に装着される回しロッドを含み、前記回しロッドが前記回転ブロック及び伸縮ロッドを回転連動させることができ、前記伸縮ロッドの中には伸縮チャンバが設置されており、前記伸縮チャンバの上下壁の間には第一ばねが設置されており、前記第一ばねが前記伸縮ロッドを推し動かして下へ移動させ、前記回転ブロックの中には糸巻きチャンバが設置されており、前記糸巻きチャンバの左右壁の間には糸巻き軸が回転できるように装着されており、前記糸巻き軸には二つのリミットブロックが設置されており、前記リミットブロックの間には糸巻き筒が固定的に装着されており、前記糸巻き筒には紐が固定的に巻き付いており、前記紐が前記伸縮チャンバの底壁と接続されており、前記紐が前記伸縮ロッドを連動させて上へ移動させることができることを特徴とする創造的な撹拌カップ。
【請求項２】
前記カップ主体部はまた前記カップの左側端面に固定的に装着される取っ手を含み、前記蓋の中には上方に開口した回転溝が設置されており、前記回転ブロックが前記回転溝の中に位置し、前記回転ブロックの外側にはリミットリングが設置されており、前記リミットリングが前記回転溝の内壁と回転できるように係合されており、前記蓋を取り出して水とディーバッグなどを入れ、前記蓋を閉めた後に前記カップの開口のところの前記カップ主体が前記ゴム環状ブロックと前記蓋の間に入り、また前記ゴム環状ブロックを推し動かして内側に押させ、それにより前記ゴム環状ブロックが前記カップチャンバの内壁と隙間なく貼着されることを特徴とする請求項１に記載の創造的な撹拌カップ。
【請求項３】
前記制御部品はまた前記糸巻きチャンバの底壁に固定的に装着される二つの軸安定ブロックを含み、前記糸巻き軸が前記軸安定ブロックと回転できるように係合されており、前記糸巻き軸には第一傘歯車が設置されており、前記回しロッドの中には回転ヘッドが回転できるように装着されており、前記回転ヘッドの中には回転軸が設置されており、前記回転軸が前記回しロッドと回転できるように係合されており、前記回転軸が前記糸巻きチャンバの中に入り、前記回転軸の端部には第二傘歯車が設置されており、前記第二傘歯車が前記第一傘歯車と噛み合い、前記回しロッドの中には弾力チャンバが設置されており、前記回転ヘッドの外側端面には押しブロックが設置されており、前記押しブロックが前記弾力チャンバと回転できるように係合されており、前記押しブロックと前記弾力チャンバの頂壁との間には第二ばねが設置されており、前記第二ばねの作用の下で前記押しブロックが前記弾力チャンバの底端に位置し、前記第二傘歯車が前記第一傘歯車と噛み合い、前記第一ばねが前記伸縮ロッドを押し動かして伸び広がらせることができなく、前記回転ヘッドを上へ抜いた後に前記第一傘歯車の噛み合いが解除され、前記第一ばねの作用の下で前記伸縮ロッドが伸び広がって前記紐を連動させて下へ伸びさせ、前記紐が前記糸巻き筒を引き動かして回転させ、前記回しロッドを回して前記回転ブロックを回転連動させ、前記伸縮ロッドと前記ばね状軟質リングとを回転連動させ、前記伸縮ロッドを復帰させる時、前記回転ヘッドを緩め、それにより前記第二傘歯車が前記第一傘歯車と噛み合い、前記回転ヘッドを回すと前記糸巻き軸を回転連動させることができ、前記紐を巻き戻して前記伸縮ロッドを連動させて復帰させることを特徴とする請求項１に記載の創造的な撹拌カップ。
【発明の詳細な説明】
【技術分野】
【０００１】
本発明はカップ分野に関わり、具体的には創造的な撹拌カップである。
【背景技術】
【０００２】
カップで飲み物を入れる時、絶え間なく撹拌して飲み物を速く溶解させることが必要であり、普通にはスプーンや箸などで撹拌するが、全部棒状の物のため、多くの場合には溶解が不十分であり、もし力を入れすぎれば、カップ内の液体が溢れる可能性もある。
【先行技術文献】
【特許文献】
【０００３】
【特許文献１】中国特許出願公開第 105942890 号明細書
【発明の概要】
【発明が解決しようとする課題】
【０００４】
本発明は創造的な撹拌カップを提供し、既存技術の中の上記欠点を解消することを目的とする。
【課題を解決するための手段】
【０００５】
本発明の実施例の創造的な撹拌カップは、カップ主体部を含み、前記カップ主体部はカップを含み、前記カップの中には上方に開口したカップチャンバが設置されており、前記カップチャンバの開口のところには蓋が密封して装着されており、前記蓋の底部端面にはゴム環状ブロックが設置されており、前記蓋の中には回転ブロックが設置されており、前記回転ブロックの底部端面には伸縮ロッドが設置されており、前記伸縮ロッドの外側端面にはばね状軟質リングが設置されており、前記ばね状軟質リングが前記蓋の底部端面と接続されており、前記回転ブロックの中には前記伸縮ロッドの伸縮を制御し、また前記ばね状軟質リングを連動させて撹拌させる制御部品が設置されており、前記制御部品は前記回転ブロックに固定的に装着される回しロッドを含み、前記回しロッドが前記回転ブロック及び伸縮ロッドを回転連動させることができ、前記伸縮ロッドの中には伸縮チャンバが設置されており、前記伸縮チャンバの上下壁の間には第一ばねが設置されており、前記第一ばねが前記伸縮ロッドを推し動かして下へ移動させ、前記回転ブロックの中には糸巻きチャンバが設置されており、前記糸巻きチャンバの左右壁の間には糸巻き軸が回転できるように装着されており、前記糸巻き軸には二つのリミットブロックが設置されており、前記リミットブロックの間には糸巻き筒が固定的に装着されており、前記糸巻き筒には紐が固定的に巻き付いており、前記紐が前記伸縮チャンバの底壁と接続されており、前記紐が前記伸縮ロッドを連動させて上へ移動させることができる。
【０００６】
さらに、前記カップ主体部はまた前記カップの左側端面に固定的に装着される取っ手を含み、前記蓋の中には上方に開口した回転溝が設置されており、前記回転ブロックが前記回転溝の中に位置し、前記回転ブロックの外側にはリミットリングが設置されており、前記リミットリングが前記回転溝の内壁と回転できるように係合されている。
【０００７】
さらに、前記制御部品はまた前記糸巻きチャンバの底壁に固定的に装着される二つの軸安定ブロックを含み、前記糸巻き軸が前記軸安定ブロックと回転できるように係合されており、前記糸巻き軸には第一傘歯車が設置されており、前記回しロッドの中には回転ヘッドが回転できるように装着されており、前記回転ヘッドの中には回転軸が設置されており、前記回転軸が前記回しロッドと回転できるように係合されており、前記回転軸が前記糸巻きチャンバの中に入り、前記回転軸の端部には第二傘歯車が設置されており、前記第二傘歯車が前記第一傘歯車と噛み合い、前記回しロッドの中には弾力チャンバが設置されており、前記回転ヘッドの外側端面には押しブロックが設置されており、前記押しブロックが前記弾力チャンバと回転できるように係合されており、前記押しブロックと前記弾力チャンバの頂壁との間には第二ばねが設置されている。
【発明の効果】
【０００８】
本発明の有益な効果は：本発明は構造が簡単で、操作が便利で、撹拌しない時に伸縮ロッドを引っ込めることができ、蓋に占拠された空間はあまり多くなく、ゴム環状ブロックがカップと隙間なく貼着されることができ、撹拌する時に液体が跳ね散ることを防止し、ばね状軟質リングは伸び広がった後に撹拌能力が強く、撹拌が均等で十分であり、普及する価値がある。
【図面の簡単な説明】
【０００９】
【図１】図１は本発明の全体構造概略図である；
【図２】図２は図１のＡのところの拡大概略図である；
【図３】図３は図１のＢのところの拡大概略図である。
【発明を実施するための形態】
【００１０】
下記には図１−３を合わせて本発明を詳しく説明し、意思の疎通をもっと便利にすることができるため、後文に出る方位を下記の通りに規定する：下記に述べた上下左右前後の方向は図１自体の投影関係の上下左右前後の方向と一致している。
【００１１】
図１−３を参照し、本発明の実施例の創造的な撹拌カップは、カップ主体部９０１を含み、前記カップ主体部９０１はカップ１１を含み、前記カップ１１の中には上方に開口したカップチャンバ１２が設置されており、前記カップチャンバ１２の開口のところには蓋１０が密封して装着されており、前記蓋１０の底部端面にはゴム環状ブロック４３が設置されており、前記蓋１０の中には回転ブロック４１が設置されており、前記回転ブロック４１の底部端面には伸縮ロッド１４が設置されており、前記伸縮ロッド１４の外側端面にはばね状軟質リング１５が設置されており、前記ばね状軟質リング１５が前記蓋１０の底部端面と接続されており、前記回転ブロック４１の中には前記伸縮ロッド１４の伸縮を制御し、また前記ばね状軟質リング１５を連動させて撹拌させる制御部品９０２が設置されており、前記制御部品９０２は前記回転ブロック４１に固定的に装着される回しロッド３４を含み、前記回しロッド３４が前記回転ブロック及び伸縮ロッド１４を回転連動させることができ、前記伸縮ロッド１４の中には伸縮チャンバ１６が設置されており、前記伸縮チャンバ１６の上下壁の間には第一ばね２３が設置されており、前記第一ばね２３が前記伸縮ロッド１４を推し動かして下へ移動させ、前記回転ブロック４１の中には糸巻きチャンバ１８が設置されており、前記糸巻きチャンバ１８の左右壁の間には糸巻き軸２５が回転できるように装着されており、前記糸巻き軸２５には二つのリミットブロック２０が設置されており、前記リミットブロック２０の間には糸巻き筒２１が固定的に装着されており、前記糸巻き筒２１には紐２２が固定的に巻き付いており、前記紐２２が前記伸縮チャンバ１６の底壁と接続されており、前記紐２２が前記伸縮ロッド１４を連動させて上へ移動させることができる。
【００１２】
前記カップ主体部９０１はまた前記カップ１１の左側端面に固定的に装着される取っ手１３を含み、前記蓋１０の中には上方に開口した回転溝３３が設置されており、前記回転ブロック４１が前記回転溝３３の中に位置し、前記回転ブロック４１の外側にはリミットリング４２が設置されており、前記リミットリング４２が前記回転溝３３の内壁と回転できるように係合されており、蓋１０を取り出して水とディーバッグなどを入れることができ、蓋１０を閉めた後にカップ１１の開口のところのカップ主体がゴム環状ブロック４３と蓋１０の間に入り、またゴム環状ブロック４３を推し動かして内側に押させ、それによりゴム環状ブロック４３がカップチャンバ１２の内壁と隙間なく貼着され、液体の流出を防止する。
【００１３】
前記制御部品９０２はまた前記糸巻きチャンバ１８の底壁に固定的に装着される二つの軸安定ブロック２６を含み、前記糸巻き軸２５が前記軸安定ブロック２６と回転できるように係合されており、前記糸巻き軸２５には第一傘歯車３０が設置されており、前記回しロッド３４の中には回転ヘッド３８が回転できるように装着されており、前記回転ヘッド３８の中には回転軸３２が設置されており、前記回転軸３２が前記回しロッド３４と回転できるように係合されており、前記回転軸３２が前記糸巻きチャンバ１８の中に入り、前記回転軸３２の端部には第二傘歯車３１が設置されており、前記第二傘歯車３１が前記第一傘歯車３０と噛み合い、前記回しロッド３４の中には弾力チャンバ３７が設置されており、前記回転ヘッド３８の外側端面には押しブロック３６が設置されており、前記押しブロック３６が前記弾力チャンバ３７と回転できるように係合されており、前記押しブロック３６と前記弾力チャンバ３７の頂壁との間には第二ばね４０が設置されており、第二ばね４０の作用の下で押しブロック３６が弾力チャンバ３７の底端に位置し、第二傘歯車３１が第一傘歯車３０と噛み合い、第一ばね２３が伸縮ロッド１４を押し動かして伸び広がらせることができなく、回転ヘッド３８を上へ抜いた後に第一傘歯車３０の噛み合いが解除され、第一ばね２３の作用の下で伸縮ロッド１４が伸び広がって紐２２を連動させて下へ伸びさせ、紐２２が糸巻き筒２１を引き動かして回転させ、回しロッド３４を回して回転ブロック４１を回転連動させ、伸縮ロッド１４とばね状軟質リング１５とを回転連動させ、撹拌し始め、伸縮ロッド１４を復帰させる時、回転ヘッド３８を緩め、それにより第二傘歯車３１が第一傘歯車３０と噛み合い、回転ヘッド３８を回すと糸巻き軸２５を回転連動させることができ、紐２２を巻き戻して伸縮ロッド１４を連動させて復帰させる。
【００１４】
使用する時、蓋１０を取り出して水とティーバッグなどを入れ、蓋１０を閉めた後にカップ１１の開口のところのカップ主体がゴム環状ブロック４３と蓋１０の間に入り、またゴム環状ブロック４３を推し動かして内側に押させ、それによりゴム環状ブロック４３がカップチャンバ１２の内壁と隙間なく貼着され、液体の流出を防止し、回転ヘッド３８を上へ抜き、第二傘歯車３１を連動させて上へ移動させ、第一傘歯車が第二傘歯車３１との噛み合いを解除し、第一ばね２３の作用の下で伸縮ロッド１４が伸び広がって紐２２を連動させて下へ伸びさせ、紐２２が糸巻き筒２１を引き動かして回転させ、回しロッド３４を回して回転ブロック４１を回転連動させ、伸縮ロッド１４とばね状軟質リング１５とを回転連動させ、撹拌し始め、伸縮ロッド１４を復帰させる時、回転ヘッド３８を緩め、それにより第二傘歯車３１が第一傘歯車３０と噛み合い、回転ヘッド３８を回すと糸巻き軸２５を回転連動させることができ、紐２２を巻き戻して伸縮ロッド１４を連動させて復帰させ、第二ばね４０の作用の下で押しブロック３６が弾力チャンバ３７の底端に位置し、第二傘歯車３１が第一傘歯車３０と噛み合い、第一ばね２３が伸縮ロッド１４を押し動かして伸び広がらせることができない。
【００１５】
本発明の有益な効果は：本発明は構造が簡単で、操作が便利で、撹拌しない時に伸縮ロッドを引っ込めることができ、蓋に占拠された空間はあまり多くなく、ゴム環状ブロックがカップと隙間なく貼着されることができ、撹拌する時に液体が跳ね散ることを防止し、ばね状軟質リングは伸び広がった後に撹拌能力が強く、撹拌が均等で十分であり、普及する価値がある。
【００１６】
当業者が明確できることは、本発明の総体精神及び構想から離脱しない場合で、上記実施例に対して様々な変型を行うことができる。それらの変型はいずれも本発明の保護範囲に含む。本発明の保護方案は本発明に添付した請求項を基準とする。
【図１】
2020151436.tif 000003
【図２】
2020151436.tif 000004
【図３】
2020151436.tif 000005